(57)【特許請求の範囲】
【請求項１】
光信号を波長多重して送信する波長多重光送信装置であって、
各々異なる波長の光信号を出力する複数の送信手段と、
前記送信手段の異常を監視し、この監視結果に基づいて、異常を検出した場合には、該送信手段の出力を停止させる第一の監視手段と、
前記送信手段から出力された光信号を増幅して出力する増幅手段と、
前記増幅手段の異常を監視し、この監視結果に基づいて、異常を検出した場合には、該増幅手段の出力を停止させる第二の監視手段と、
前記送信手段が出力した光信号と同じ波長及び同じ出力レベルのダミー光を生成して出力するダミー光送信手段と、
前記増幅手段が出力した光信号を分岐して出力する光分岐手段と、
この光分岐手段で分岐されたうちの一方の光信号を監視し、この監視結果に基づいて、光信号が出力されている場合には、前記光分岐手段で分岐されたうちの他方の光信号を送信させ、光信号が出力されてい無い場合には、前記ダミー光送信手段が出力したダミー光を送信させる制御手段
とを有することを特徴とする波長多重光送信装置。
【請求項２】
前記波長多重光送信装置は、
前記光分岐手段で分岐された他方の光信号と、前記ダミー光送信手段が出力したダミー光とが入力され、前記制御手段から出力される制御信号に基づいて、該入力された光のうちどちらかを出力する光結合手段
を有することを特徴とする請求項１に記載の波長多重光送信装置。
【請求項３】
前記波長多重光送信装置は、
前記送信手段の出力と、前記増幅手段の入力との間に分散補償ファイバーを有することを特徴とする請求項１又は請求項２に記載の波長多重光送信装置。
【請求項４】
各々異なる波長の光信号を出力する複数の送信手段と、この送信手段から出力された光信号を増幅して出力する増幅手段と、前記送信手段が出力した光信号と同じ波長及び同じ出力レベルのダミー光を生成して出力するダミー光送信手段を具備した装置を用いて、光信号を波長多重して送信する方法であって、
前記送信手段の異常を監視するステップＡと、
このステップＡの監視結果に基づいて、異常を検出した場合には、該送信手段の出力を停止させるステップＢと、
前記増幅手段の異常を監視するステップＤと、
このステップＤの監視結果に基づいて、異常を検出した場合には、該増幅手段の出力を停止させるステップＥと、
前記増幅手段が出力した光信号を監視し、この監視結果に基づいて、光信号が出力されている場合には、前記送信手段が出力した光信号を送信させ、光信号が出力されてい無い場合には、前記ダミー光送信手段が出力したダミー光を送信させるステップＦ
とを有することを特徴とする波長多重光送信方法。
【発明の詳細な説明】
【０００１】
【発明の属する技術分野】
本発明は波長多重光送信装置に関し、特に異常が発生した光信号があっても他の正常な光信号への干渉及び出力レベルの変動を回避して送信できる技術に関する。
【０００２】
【従来の技術】
従来、光ファイバー１本当りの伝送容量を増加させる為に、異なる波長の光を多重して送信する波長多重光送信装置が用いられている。
【０００３】
図５と図６とは、従来の波長多重光送信装置のブロック図である。
【０００４】
図５に示す従来の波長多重光送信装置は、それぞれ固有な波長λ１〜λｎの光信号を出力する送信部３０１１〜送信部３０１ｎと、送信部３０１１〜送信部３０１ｎが出力した光信号を合波して出力する光合波器１０とにより構成されていた。
【０００５】
光合波器１０の出力ポートから出力される光信号は、送信部３０１１〜送信部３０１ｎにより出力された光信号（波長λ１、λ２、・・・λｎ）が波長軸上に分布した波長多重光信号となる。すなわち、異なる波長の光信号をｎ個多重することにより伝送容量はｎ倍となる。これにより、光ファイバー１本当たりの伝送容量を著しく増大させることが出来た。
【０００６】
図６に示す従来の波長多重光送信装置は、それぞれ固有な波長λ１〜λｎの光信号を出力する送信部４０１１〜送信部４０１ｎと、監視部４０２１〜監視部４０２ｎと、ダミー光送信部４０５１〜ダミー光送信部４０５ｎと、光結合部４０６１〜光結合部４０６ｎとにより構成されていた。
【０００７】
送信部４０１１〜送信部４０１ｎは、出力する光信号の異常を検出した場合、監視部４０２１〜監視部４０２ｎに対して「異常信号」を出力する回路を有する。
【０００８】
監視部４０２１〜監視部４０２ｎは、送信部４０１１〜送信部４０１ｎから「異常信号」を受信すると光結合部４０６１〜光結合部４０６ｎに対して「制御信号」を出力する。
【０００９】
ダミー光送信部４０５１〜ダミー光送信部４０５ｎは、擬似的な光信号であるダミー光を出力するものである。
【００１０】
光結合部４０６１〜光結合部４０６ｎは、光信号が入力される２個の入力ポートと、これらの入力ポートに入力された光信号のうちどちらか一方の光信号を出力する出力ポートとを有し、一方の入力ポートには、送信部４０１１〜送信部４０１ｎの出力ポートが接続され、他方の入力ポートには、ダミー光送信部４０５１〜ダミー光送信部４０５ｎの出力ポートが接続される。光結合部４０６１〜光結合部４０６ｎは、２個の入力ポートに入力される光信号のうち監視部４０２１〜監視部４０２ｎの「制御信号」に基づいて、いずれか一方を出力ポートへ結合する。光結合部４０５１〜光結合部４０５ｎの出力ポートは、光合波器１０のｎ個の入力ポートに接続されている。
【００１１】
光合波器１０は、ｎ個の入力ポートに入力された光信号を合波して出力する出力ポートを有する。
【００１２】
監視部４０２１〜監視部４０２ｎは、通常、光結合部４０６１〜光結合部４０６ｎに対して、送信部４０１１〜送信部４０１ｎが出力する光信号を出力ポートへ結合するように「制御信号」を出力する。これにより、光結合部４０６１〜光結合部４０６ｎの出力ポートには、送信部４０１１〜送信部４０１ｎが出力する光信号が出力される。
【００１３】
ここで、送信部４０１１に異常が発生したものとする。
【００１４】
送信部４０１１では、異常に伴い「異常信号」を監視部４０２１に出力する。この「異常信号」を受信した監視部４０２１は、ダミー光送信部４０５１が出力した光信号を出力ポートへ結合するように光結合部４０６１に対して「制御信号」を出力する。
【００１５】
この結果、光結合部４０６１の出力ポートからはダミー光送信部４０５１が出力した光信号（ダミー光）が出力され、光合波器１０で多重される他の波長の光信号への干渉を回避することが出来た。
【００１６】
【発明が解決しようとする課題】
しかしながら、図５の従来技術では、送信部４０１１〜送信部４０１ｎが出力する光信号のうちいずれかの光信号の波長に異常が生じた場合、隣接する他の波長の光信号が干渉してしまうという第１の問題点があった。
【００１７】
また、図５の従来技術では、送信部４０１１〜送信部４０１ｎのうちいずれかの送信部４０１が出力を停止すると、他の光信号のレベルが変化してしまうという第２の問題点があった。
【００１８】
例えば、光合波器１０の出力は、光合波器１０に入力される各光信号を合波したものである。この為、送信部４０１１〜送信部４０１ｎのうちいずれかが光信号の出力を停止すると、その光信号の分、光合波器１０の出力も低下する。
【００１９】
ところで、近年、光の波長多重を利用した伝送系では、光信号の減衰を補うために光増幅器が使用されている。一般的に光増幅器は、光合波器１０の出力を一定にするよう制御を行うものである。その為、光増幅器は、出力が停止された光信号があった場合、その光信号分のパワーを補う為に、他の光信号のパワーを上げるように制御を行う。
【００２０】
この結果、受信装置側では、この受信した各光信号のパワーが変化することとなる。
【００２１】
そこで、図５の従来技術の問題を解決する手段として、図６の従来技術が提案されている。
【００２２】
しかしながら、長距離伝送を行う場合、伝送路において発生する分散の影響をキャンセルする為に、伝送路に光信号を出力する前に送信装置側で分散補償する必要がある。この場合、分散補償用ファイバーと、この分散補償用ファイバーによるロスを補償する為の増幅回路とは、送信部と光結合器との間に挿入する事になる。この為に、ロスを補償する為の増幅回路の出力が停止した場合、図５の従来技術の第２の問題点が再び浮上する事となる。
【００２３】
従って、本発明が解決しようとする課題は、異常が発生した光信号があっても他の正常な光信号への干渉及び出力レベルの変動を回避することが出来る技術を提供することである。
【００２６】
【課題を解決する為の手段】
前記の課題は、光信号を波長多重して送信する波長多重光送信装置であって、
各々異なる波長の光信号を出力する複数の送信手段と、
前記送信手段の異常を監視し、この監視結果に基づいて、異常を検出した場合には、該送信手段の出力を停止させる第一の監視手段と、
前記送信手段から出力された光信号を増幅して出力する増幅手段と、
前記増幅手段の異常を監視し、この監視結果に基づいて、異常を検出した場合には、該増幅手段の出力を停止させる第二の監視手段と、
前記送信手段が出力した光信号と同じ波長及び同じ出力レベルのダミー光を生成して出力するダミー光送信手段と、
前記増幅手段が出力した光信号を分岐して出力する分岐手段と、
この光分岐手段で分岐されたうちの一方の光信号を監視し、この監視結果に基づいて、光信号が出力されている場合には、前記光分岐手段で分岐されたうちの他方の光信号を送信させ、光信号が出力されてい無い場合には、前記ダミー光送信手段が出力したダミー光を送信させる制御手段
とを有することを特徴とする波長多重光送信装置によって解決される。
【００２７】
この構成により、異常が発生した光信号があっても他の正常な光信号への干渉及び出力レベルの変動を回避することが出来る。
【００２８】
又、前記波長多重光送信装置は、
前記光分岐手段で分岐された他方の光信号と、前記ダミー光送信手段が出力したダミー光とが入力され、前記制御手段から出力される制御信号に基づいて、該入力された光のうちどちらかを出力する光結合手段
を有することを特徴とする。
【００２９】
又、前記波長多重光送信装置は、
前記送信手段の出力と、前記増幅手段の入力との間に分散補償ファイバー
を有することを特徴とする。
【００３２】
又は、前記の課題は、各々異なる波長の光信号を出力する複数の送信手段と、この送信手段から出力された光信号を増幅して出力する増幅手段と、前記送信手段が出力した光信号と同じ波長及び同じ出力レベルのダミー光を生成して出力するダミー光送信手段を具備した装置を用いて、光信号を波長多重して送信する方法であって、
前記送信手段の異常を監視するステップＡと、
このステップＡの監視結果に基づいて、異常を検出した場合には、該送信手段の出力を停止させるステップＢと、
前記増幅手段の異常を監視するステップＤと、
このステップＤの監視結果に基づいて、異常を検出した場合には、該増幅手段の出力を停止させるステップＥと、
前記増幅手段が出力した光信号を監視し、この監視結果に基づいて、光信号が出力されている場合には、前記送信手段が出力した光信号を送信させ、光信号が出力されてい無い場合には、前記ダミー光送信手段が出力したダミー光を送信させるステップＦ
とを有することを特徴とする波長多重光送信方法によって解決される。
【００３３】
これらのステップにより、異常が発生した光信号があっても他の正常な光信号への干渉及び出力レベルの変動を回避することが出来る。
【００３４】
【発明の実施の形態】
次に、本発明の実施の形態について説明する。
【００３５】
図１は、本発明に係る波長多重光送信装置のブロック図である。図２は、本発明に係るフローチャートである。
【００３６】
本発明に係る波長多重光送信装置は、ｎ個の送信部１１〜送信部１ｎと、ｎ個の送信監視部２１〜送信監視部２ｎと、ｎ個の光分岐部３１〜送信部３ｎと、ｎ個の制御部４１〜制御部４ｎと、ｎ個のダミー光送信部５１〜ダミー光送信部５ｎと、ｎ個の光結合部６１〜光結合部６ｎと、光合波器１０とにより構成される。
【００３７】
送信部１１は、波長λ１（固有な波長）の光信号を生成して光分岐部３１に出力する。また、送信部１２は、波長λ２（固有な波長）の光信号を生成して光分岐部３２に出力する。・・・また、送信部１ｎは、波長λｎ（固有な波長）の光信号を生成して光分岐部３ｎに出力する。尚、λ１、λ２、・・・λｎは、各々異なる波長である。
【００３８】
送信部１１〜送信部１ｎは、出力する光信号の異常を検出した場合、送信監視部２１〜送信監視部２ｎに対して「異常信号」を出力する異常検出回路を有する。
【００３９】
送信部１１〜送信部１ｎの異常検出回路で検出する異常は、出力する光信号の波長及び出力レベル等の変化である。
【００４０】
例えば、光信号の波長の変化を検出する方法としては、送信部１１〜送信部１ｎのレーザーの温度を監視（測定）し、所定の温度範囲を超えた場合に「異常信号」を出力する。また、光信号の出力レベルの変化を検出する方法としては、送信部１１〜送信部１ｎの光フィルタを透過した光信号の出力レベルを監視（測定）し、所定の出力レベルの範囲を超えた場合に「異常信号」を出力するように構成する。
【００４１】
或いは、異常検出回路で検出する異常は、送信部１１〜送信部１ｎのレーザーの劣化や送信部１１〜送信部１ｎの回路の障害を検出するように構成しても良い。
【００４２】
送信監視部２１〜送信監視部２ｎは、送信部１１〜送信部１ｎからの「異常信号」を監視するものである。そして、送信監視部２１〜送信監視部２ｎは、送信部１１〜送信部１ｎから「異常信号」が入力された場合、送信部１１〜送信部１ｎに向けて光信号の出力を停止する旨の「制御信号」を出力する。
【００４３】
送信部１１〜送信部１ｎは、送信監視部２１〜送信監視部２ｎから光信号の出力を停止する旨の「制御信号」に基づいて、光信号の出力を停止する手段を有する。
【００４４】
送信部１１〜送信部１ｎの出力ポートは、光分岐部３１〜光分岐部３ｎの入力ポートに各々接続される。
【００４５】
光分岐部３１〜光分岐部３ｎは、入力ポートに入力された光信号を分岐して出力する２個の出力ポートを有する。この出力ポートのうち一方は、制御部４１〜制御部４ｎに接続され、他方は、光結合部６１〜光結合部６ｎに接続される。
【００４６】
すなわち、光分岐部３１〜光分岐部３ｎは、送信部１１〜送信部１ｎから入力された光信号を制御部４１〜制御部４ｎと、光結合部６１〜光結合部６ｎとに出力するものである。
【００４７】
制御部４１〜制御部４ｎは、光分岐部３１〜光分岐部３ｎから入力される光信号の有無を監視し、光信号が無くなった場合にダミー光送信部５１〜ダミー光送信部５ｎが出力するダミー光を出力する旨の「制御信号」を出力するものでる。制御部４１〜制御部４ｎから出力されるこの「制御信号」は、光結合部６１〜光結合部６ｎに出力される。
【００４８】
ダミー光送信部５１〜ダミー光送信部５ｎは、ダミー光を生成して光結合部６１〜光結合部６ｎに出力するものである。
【００４９】
ダミー光送信部５１〜ダミー光送信部５ｎが出力するダミー光の波長は、送信部１１〜送信部１ｎが出力する光信号の波長と同じ波長となるように調整されている。また、ダミー光送信部５１〜ダミー光送信部５ｎの出力するダミー光のパワーは、予め光結合部６１〜光結合部６ｎの出力ポートにおいて、送信部１１〜送信部１ｎが出力する光信号の出力レベルと同じ出力レベルとなるように調整されている。
【００５０】
光結合部６１〜光結合部６ｎは、光信号が入力される２個の入力ポートと、この入力ポートに入力された光信号（又はダミー光）のうちどちらか一方を光合波器１０に出力する出力ポートとを有する。光結合部６１〜光結合部６ｎの一方の入力ポートには、光分岐部３１〜光分岐部３ｎの出力ポートが接続される。また、光結合部６１〜光結合部６ｎの他方の入力ポートには、ダミー光送信部５１〜ダミー光送信部５ｎの出力ポートが接続される。光結合部６１〜光結合部６ｎは、２個の入力ポートに入力される光信号のうち制御部４１〜制御部４ｎの「制御信号」に基づいて、いずれか一方を出力ポートへ結合する。例えば、光結合部６１〜光結合部６ｎは、光スイッチで構成される。
【００５１】
光結合部６１〜光結合部６ｎの出力ポートは、光合波器１０のｎ個の入力ポートに各々接続されている。
【００５２】
光合波器１０は、ｎ個の入力ポートに入力された光信号やダミー光を合波して出力ポートから伝送路に向けて送信（出力）する。例えば、光合波器１０は、融着型光カプラ、ＡＷＧ（Arrayed  Wave  guide  Grating）等で構成される。
【００５３】
次に、送信部１１に異常が発生した場合について説明する。
【００５４】
送信部１１に異常が発生すると、送信部１１の異常検出回路によりこの異常が検出される。異常を検出した送信部１１の異常検出回路は、「異常信号」を送信監視部２１に出力する。
【００５５】
「異常信号」が入力された送信監視部２１は、送信部１１に向けて光信号の出力を停止する旨の「制御信号」を出力する。
【００５６】
光信号の出力を停止する旨の「制御信号」が入力された送信部１１は、光信号の出力を停止する。
【００５７】
送信部１１が光信号の出力を停止すると、制御部４１は、光分岐部３１から出力される光信号が無くなったことを検出する。光信号が無くなったことを検出した制御部４１は、光結合部６１に対してダミー光送信部５１が出力するダミー光を出力する旨の「制御信号」を出力する。
【００５８】
ダミー光送信部５１が出力するダミー光を出力する旨の「制御信号」が入力された光結合部６１は、ダミー光送信部５１が接続されている光結合部６１の入力ポートと光結合部６１の出力ポートとを結合する。
【００５９】
この結果、光結合部６１の出力ポートからはダミー光が出力され、光合波器１０で多重される他の波長の光信号への干渉を回避することが出来る。
【００６０】
次に、本発明の動作について説明する。
【００６１】
送信部１１は、波長λ１（固有な波長）の光信号を生成して出力する。また、送信部１２は、波長λ２（固有な波長）の光信号を生成して出力する。・・・また、送信部１ｎは、波長λｎ（固有な波長）の光信号を生成して出力する。尚、λ１、λ２、・・・λｎは、各々異なる波長である。
【００６２】
送信部１１〜送信部１ｎの異常検出回路は、送信部１１〜送信部１ｎが出力する光信号の異常を検出した場合、送信監視部２１〜送信監視部２ｎに対して「異常信号」を出力する。
【００６３】
送信監視部２１〜送信監視部２ｎは、送信部１１〜送信部１ｎからの「異常信号」を監視する（ステップＡ）。そして、送信監視部２１〜送信監視部２ｎは、送信部１１〜送信部１ｎから「異常信号」が入力された場合、送信部１１〜送信部１ｎに向けて光信号の出力を停止する旨の「制御信号」を出力する。
【００６４】
送信部１１〜送信部１ｎは、送信監視部２１〜送信監視部２ｎから光信号の出力を停止する旨の「制御信号」が入力された場合、光信号の出力を停止する（ステップＢ）。
【００６５】
制御部４１〜制御部４ｎは、光分岐部３１〜光分岐部３ｎから入力される光信号の有無を監視し、光信号が無くなった場合に光結合部６１〜光結合部６ｎに向けて、ダミー光送信部５１〜ダミー光送信部５ｎが出力するダミー光を出力する旨の「制御信号」を出力する。
【００６６】
光結合部６１〜光結合部６ｎは、制御部４１〜制御部４ｎの「制御信号」に基づいて、いずれか一方を出力ポートへ結合する。
【００６７】
例えば、光結合部６１〜光結合部６ｎは、制御部４１〜制御部４ｎから送信部１１〜送信部１ｎが出力した光信号を出力する旨の「制御信号」が入力された場合、送信部１１〜送信部１ｎが出力した光信号を光合波器３に向けて出力する。
【００６８】
或いは、光結合部６１〜光結合部６ｎは、制御部４１〜制御部４ｎからダミー光送信部５１〜ダミー光送信部５ｎが出力するダミー光を出力する旨の「制御信号」が入力された場合、ダミー光送信部５１〜ダミー光送信部５ｎが出力したダミー光を光合波器３に向けて出力する。
【００６９】
光合波器３は、ｎ個の入力ポートに入力された光信号、ダミー光を合波して出力ポートから伝送路に向けて送信（出力）する（ステップＣ）。
【００７０】
次に、送信部１１に異常が発生した場合の動作について説明する。
【００７１】
送信部１１に異常が発生すると、送信部１１の異常検出回路によりこの異常が検出される。異常を検出した送信部１１の異常検出回路は、「異常信号」を送信監視部２１に出力する。
【００７２】
「異常信号」が入力された送信監視部２１は、送信部１１に向けて光信号の出力を停止する旨の「制御信号」を出力する。
【００７３】
光信号の出力を停止する旨の「制御信号」が入力された送信部１１は、光信号の出力を停止する。
【００７４】
送信部１１が光信号の出力を停止すると、制御部４１は、光分岐部３１から出力される光信号が無くなったことを検出する。光信号が無くなったことを検出した制御部４１は、光結合部６１に対してダミー光送信部５１が出力したダミー光を出力する旨の「制御信号」を出力する。
【００７５】
この「制御信号」が入力された光結合部６１は、ダミー光送信部５１が接続されている光結合部６１の入力ポートと光結合部６１の出力ポートとを結合する。
【００７６】
この結果、光結合部６１の出力ポートからはダミー光が出力され、光合波器１０で多重される他の波長の光信号への干渉を回避することが出来る。
【００７７】
次に、他の実施の形態について説明する。
【００７８】
図３は、本発明に係る他の実施の形態の波長多重光送信装置のブロック図である。図４は、本発明に係るフローチャートである。
【００７９】
波長多重光送信装置は、ｎ個の送信部１１〜送信部１ｎと、ｎ個の送信監視部２１〜送信監視部２ｎと、ｎ個の光分岐部３１〜送信部３ｎと、ｎ個の制御部４１〜制御部４ｎと、ｎ個のダミー光送信部５１〜ダミー光送信部５ｎと、ｎ個の光結合部６１〜光結合部６ｎと、ｎ個の分散補償ファイバー７１〜分散補償ファイバー７ｎと、ｎ個の増幅部８１〜増幅部８ｎと、ｎ個の増幅監視部９１〜増幅監視部９ｎと、光合波器１０とにより構成される。
【００８０】
送信部１１は、波長λ１（固有な波長）の光信号を生成して分散補償ファイバー７１に出力する。また、送信部１２は、波長λ２（固有な波長）の光信号を生成して分散補償ファイバー７２に出力する。・・・また、送信部１ｎは、波長λｎ（固有な波長）の光信号を生成して分散補償ファイバー７ｎに出力する。尚、λ１、λ２、・・・λｎは、各々異なる波長である。
【００８１】
送信部１１〜送信部１ｎは、出力する光信号の異常を検出した場合、送信監視部２１〜送信監視部２ｎに対して「異常信号」を出力する異常検出回路を有する。
【００８２】
送信部１１〜送信部１ｎの異常検出回路で検出する異常は、出力する光信号の波長及び出力レベル等の変化である。
【００８３】
例えば、光信号の波長の変化を検出する方法としては、送信部１１〜送信部１ｎのレーザーの温度を監視（測定）し、所定の温度範囲を超えた場合に「異常信号」を出力する。また、光信号の出力レベルの変化を検出する方法としては、送信部１１〜送信部１ｎの光フィルタを透過した光信号の出力レベルを監視（測定）し、所定の出力レベルの範囲を超えた場合に「異常信号」を出力するように構成する。
【００８４】
或いは、異常検出回路で検出する異常は、送信部１１〜送信部１ｎのレーザーの劣化や送信部１１〜送信部１ｎの回路の障害を検出するように構成しても良い。
【００８５】
送信監視部２１〜送信監視部２ｎは、送信部１１〜送信部１ｎからの「異常信号」を監視するものである。そして、送信監視部２１〜送信監視部２ｎは、送信部１１〜送信部１ｎから「異常信号」が入力された場合、送信部１１〜送信部１ｎに向けて光信号の出力を停止する旨の「制御信号」を出力する。
【００８６】
送信部１１〜送信部１ｎは、送信監視部２１〜送信監視部２ｎから光信号の出力を停止する旨の「制御信号」に基づいて、光信号の出力を停止する手段を有する。
【００８７】
送信部１１〜送信部１ｎの出力ポートは、分散補償ファイバー７１〜分散補償ファイバー７ｎに各々接続される。
【００８８】
分散補償ファイバー７１〜分散補償ファイバー７ｎは、伝送路で発生する分散の影響を前もって補償するものである。
【００８９】
分散補償ファイバー７１〜分散補償ファイバー７ｎの出力は、増幅部８１〜増幅部８ｎの入力ポートに接続される。すなわち、送信部１１〜送信部１ｎから出力された光信号は、分散補償ファイバー７１〜分散補償ファイバー７ｎを介して、増幅部８１〜増幅部８ｎに出力される。
【００９０】
増幅部８１〜増幅部８ｎは、分散補償ファイバー７１〜分散補償ファイバー７ｎによるロスを補償する為に、入力された光信号を所定の出力レベルに増幅して光分岐部３１〜光分岐部３ｎに出力するものである。すなわち、増幅部８１〜増幅部８ｎの出力ポートは、光分岐部３１〜光分岐部３ｎの入力ポートに接続されている。
【００９１】
増幅部８１〜増幅部８ｎは、分散補償ファイバー７１〜分散補償ファイバー７ｎから入力された光信号、及び増幅部８１〜増幅部８ｎが出力する光信号の異常を検出した場合、増幅監視部９１〜増幅監視部９ｎに対して「異常信号」を出力する異常検出回路を有する。
【００９２】
増幅部８１〜増幅部８ｎの異常検出回路で検出する異常は、入力された光信号及び出力する光信号の出力レベルを監視（測定）し、所定の出力レベルの範囲を超えた場合に「異常信号」を出力するように構成する。
【００９３】
増幅監視部９１〜増幅監視部９ｎは、増幅部８１〜増幅部８ｎからの「異常信号」を監視するものである。そして、増幅監視部９１〜増幅監視部９ｎは、増幅部８１〜増幅部８ｎから「異常信号」が入力された場合、増幅部８１〜増幅部８ｎに向けて光信号の出力を停止する旨の「制御信号」を出力する。
【００９４】
増幅部８１〜増幅部８ｎは、増幅監視部９１〜増幅監視部９ｎから光信号の出力を停止する旨の「制御信号」に基づいて、光信号の出力を停止する手段を有する。
【００９５】
光分岐部３１〜光分岐部３ｎは、入力ポートに入力された光信号を分岐して出力する２個の出力ポートを有する。この出力ポートのうち一方は、制御部４１〜制御部４ｎに接続され、他方は、光結合部６１〜光結合部６ｎに接続される。
【００９６】
すなわち、光分岐部３１〜光分岐部３ｎは、増幅部８１〜増幅部８ｎから入力された光信号を制御部４１〜制御部４ｎと、光結合部６１〜光結合部６ｎとに出力するものである。
【００９７】
制御部４１〜制御部４ｎは、光分岐部３１〜光分岐部３ｎから入力される光信号の有無を監視し、光信号が無くなった場合にダミー光送信部５１〜ダミー光送信部５ｎが出力するダミー光を出力する旨の「制御信号」を出力するものでる。制御部４１〜制御部４ｎから出力されるこの「制御信号」は、光結合部６１〜光結合部６ｎに出力される。
【００９８】
ダミー光送信部５１〜ダミー光送信部５ｎは、ダミー光を生成して光結合部６１〜光結合部６ｎに出力するものである。
【００９９】
ダミー光送信部５１〜ダミー光送信部５ｎが出力するダミー光の波長は、送信部１１〜送信部１ｎが出力する光信号の波長と同じ波長となるように調整されている。また、ダミー光送信部５１〜ダミー光送信部５ｎの出力するダミー光のパワーは、予め光結合部６１〜光結合部６ｎの出力ポートにおいて、送信部１１〜送信部１ｎが出力する光信号の出力レベルと同じ出力レベルとなるように調整されている。
【０１００】
光結合部６１〜光結合部６ｎは、光信号が入力される２個の入力ポートと、この入力ポートに入力された光信号（又はダミー光）のうちどちらか一方を光合波器１０に出力する出力ポートとを有する。光結合部６１〜光結合部６ｎの一方の入力ポートには、光分岐部３１〜光分岐部３ｎの出力ポートが接続される。また、光結合部６１〜光結合部６ｎの他方の入力ポートには、ダミー光送信部５１〜ダミー光送信部５ｎの出力ポートが接続される。光結合部６１〜光結合部６ｎは、２個の入力ポートに入力される光信号のうち制御部４１〜制御部４ｎの「制御信号」に基づいて、いずれか一方を出力ポートへ結合する。例えば、光結合部６１〜光結合部６ｎは、光スイッチで構成される。
【０１０１】
光結合部６１〜光結合部６ｎの出力ポートは、光合波器１０のｎ個の入力ポートに各々接続されている。
【０１０２】
光合波器１０は、ｎ個の入力ポートに入力された光信号やダミー光を合波して出力ポートから伝送路に向けて送信（出力）する。例えば、光合波器１０は、融着型光カプラ、ＡＷＧ（Arrayed  Wave  guide  Grating）等で構成される。
【０１０３】
次に、送信部１１に異常が発生した場合について説明する。
【０１０４】
送信部１１に異常が発生すると、送信部１１の異常検出回路によりこの異常が検出される。異常を検出した送信部１１の異常検出回路は、「異常信号」を送信監視部２１に出力する。
【０１０５】
「異常信号」が入力された送信監視部２１は、送信部１１に向けて光信号の出力を停止する旨の「制御信号」を出力する。
【０１０６】
光信号の出力を停止する旨の「制御信号」が入力された送信部１１は、光信号の出力を停止する。
【０１０７】
増幅部８１は、分散補償ファイバー７１から光信号が入力されない為に、「異常信号」を増幅監視部９１に出力する。
【０１０８】
「異常信号」が入力された増幅監視部９１は、増幅部８１に向けて光信号の出力を停止する旨の「制御信号」を出力する。
【０１０９】
光信号の出力を停止する旨の「制御信号」が入力された増幅部８１は、光信号の出力を停止する。
【０１１０】
増幅部８１が光信号の出力を停止すると、制御部４１は、光分岐部３１から出力される光信号が無くなったことを検出する。光信号が無くなったことを検出した制御部４１は、光結合部６１に対してダミー光送信部５１が出力するダミー光を出力する旨の「制御信号」を出力する。
【０１１１】
ダミー光送信部５１が出力するダミー光を出力する旨の「制御信号」が入力された光結合部６１は、ダミー光送信部５１が接続されている光結合部６１の入力ポートと光結合部６１の出力ポートとを結合する。
【０１１２】
この結果、光結合部６１の出力ポートからはダミー光が出力され、光合波器１０で多重される他の波長の光信号への干渉を回避することが出来る。
【０１１３】
次に、本発明の動作について説明する。
【０１１４】
送信部１１は、波長λ１（固有な波長）の光信号を生成して出力する。また、送信部１２は、波長λ２（固有な波長）の光信号を生成して出力する。・・・また、送信部１ｎは、波長λｎ（固有な波長）の光信号を生成して出力する。尚、λ１、λ２、・・・λｎは、各々異なる波長である。
【０１１５】
送信部１１〜送信部１ｎの異常検出回路は、送信部１１〜送信部１ｎが出力する光信号の異常を検出した場合、送信監視部２１〜送信監視部２ｎに対して「異常信号」を出力する。
【０１１６】
送信監視部２１〜送信監視部２ｎは、送信部１１〜送信部１ｎからの「異常信号」を監視する（ステップＡ）。そして、送信監視部２１〜送信監視部２ｎは、送信部１１〜送信部１ｎから「異常信号」が入力された場合、送信部１１〜送信部１ｎに向けて光信号の出力を停止する旨の「制御信号」を出力する。
【０１１７】
送信部１１〜送信部１ｎは、送信監視部２１〜送信監視部２ｎから光信号の出力を停止する旨の「制御信号」が入力された場合、光信号の出力を停止する（ステップＢ）。
【０１１８】
増幅部８１〜増幅部８ｎの異常検出回路は、分散補償ファイバー７１〜分散補償ファイバー７ｎから入力された光信号、及び増幅部８１〜増幅部８ｎが出力する光信号の異常を検出した場合、増幅監視部９１〜増幅監視部９ｎに対して「異常信号」を出力する。
【０１１９】
増幅監視部９１〜増幅監視部９ｎは、増幅部８１〜増幅部８ｎからの「異常信号」を監視する（ステップＤ）。そして、増幅監視部９１〜増幅監視部９ｎは、増幅部８１〜増幅部８ｎから「異常信号」が入力された場合、増幅部８１〜増幅部８ｎに向けて光信号の出力を停止する旨の「制御信号」を出力する。
【０１２０】
増幅部８１〜増幅部８ｎは、増幅監視部９１〜増幅監視部９ｎから光信号の出力を停止する旨の「制御信号」が入力された場合、光信号の出力を停止する（ステップＥ）。
【０１２１】
制御部４１〜制御部４ｎは、光分岐部３１〜光分岐部３ｎから入力される光信号の有無を監視し、光信号が無くなった場合に光結合部６１〜光結合部６ｎに向けて、ダミー光送信部５１〜ダミー光送信部５ｎが出力するダミー光を出力する旨の「制御信号」を出力する。
【０１２２】
光結合部６１〜光結合部６ｎは、制御部４１〜制御部４ｎの「制御信号」に基づいて、いずれか一方を出力ポートへ結合する。
【０１２３】
例えば、光結合部６１〜光結合部６ｎは、制御部４１〜制御部４ｎから送信部１１〜送信部１ｎが出力した光信号を出力する旨の「制御信号」が入力された場合、送信部１１〜送信部１ｎが出力した光信号を光合波器３に向けて出力する。
【０１２４】
或いは、光結合部６１〜光結合部６ｎは、制御部４１〜制御部４ｎからダミー光送信部５１〜ダミー光送信部５ｎが出力するダミー光を出力する旨の「制御信号」が入力された場合、ダミー光送信部５１〜ダミー光送信部５ｎが出力したダミー光を光合波器３に向けて出力する。
【０１２５】
光合波器３は、ｎ個の入力ポートに入力された光信号、ダミー光を合波して出力ポートから伝送路に向けて送信（出力）する（ステップＥ）。
【０１２６】
次に、送信部１１に異常が発生した場合の動作について説明する。
【０１２７】
送信部１１に異常が発生すると、送信部１１の異常検出回路によりこの異常が検出される。異常を検出した送信部１１の異常検出回路は、「異常信号」を送信監視部２１に出力する。
【０１２８】
「異常信号」が入力された送信監視部２１は、送信部１１に向けて光信号の出力を停止する旨の「制御信号」を出力する。
【０１２９】
光信号の出力を停止する旨の「制御信号」が入力された送信部１１は、光信号の出力を停止する。
【０１３０】
増幅部８１は、分散補償ファイバー７１から光信号が入力されない為に、「異常信号」を増幅監視部９１に出力する。
【０１３１】
「異常信号」が入力された増幅監視部９１は、増幅部８１に向けて光信号の出力を停止する旨の「制御信号」を出力する。
【０１３２】
光信号の出力を停止する旨の「制御信号」が入力された増幅部８１は、光信号の出力を停止する。
【０１３３】
増幅部８１が光信号の出力を停止すると、制御部４１は、光分岐部３１から出力される光信号が無くなったことを検出する。光信号が無くなったことを検出した制御部４１は、光結合部６１に対してダミー光送信部５１が出力するダミー光を出力する旨の「制御信号」を出力する。
【０１３４】
この「制御信号」が入力された光結合部６１は、ダミー光送信部５１が接続されている光結合部６１の入力ポートと光結合部６１の出力ポートとを結合する。
【０１３５】
この結果、光結合部６１の出力ポートからはダミー光が出力され、光合波器１０で多重される他の波長の光信号への干渉を回避することが出来る。
【０１３６】
【効果】
第１の効果は、送信する光信号の波長の異常による他の光信号（回線）への干渉が回避できる。
その理由は、送信する光信号の波長の異常を検出し、ダミー光に置き換えることにより正常な波長を維持することが可能となるためである。
第２の効果は、送信する光信号が停止しても他の光信号（回線）への影響が回避できる。
その理由は、予め出力レベルが調整されたダミー光に置き換えられる為、伝送路に出力する光のトータルパワーが変動しない為である。
【図面の簡単な説明】
【図１】本発明に係る実施の形態のブロック図である。
【図２】本発明に係るフローチャートである。
【図３】本発明に係る他の実施の形態のブロック図である。
【図４】本発明に係るフローチャートである。
【図５】従来の波長多重光送信装置のブロック図である。
【図６】従来の波長多重光送信装置のブロック図である。
【符号の説明】
１１〜１ｎ  送信部
２１〜２ｎ  送信監視部
３１〜３ｎ  光分岐部
４１〜４ｎ  制御部
５１〜５ｎ  ダミー光送信部
６１〜６ｎ  光結合部
７１〜７ｎ  分散補償ファイバー
８１〜８ｎ  増幅部
９１〜９ｎ  増幅監視部
１０      光合波器
【図１】
0003541881.tif 000002
【図２】
0003541881.tif 000003
【図３】
0003541881.tif 000004
【図４】
0003541881.tif 000005
【図５】
0003541881.tif 000006
【図６】
0003541881.tif 000007